Podtech/llm-jp-corpus-v4-ja_patent huggingface dataset:
(57)【要約】      （修正有）【課題】振り子を利用した団扇で、煩わしさがなく、車内の空気循環の役目を果たす。【解決手段】本考案は、団扇本体１に振り子運動するためのおもり２を取り付け、他部分固定金具４と本体１を接続する連結金具。【選択図】図１
0003122282.tif 000002
【実用新案登録請求の範囲】
【請求項１】
団扇本体の持つ部分（握り部分）を無くし、団扇本体の下部におもりを付け、揺れまたは振動で振り子が発生し団扇が動く、振り子団扇。
【考案の詳細な説明】
【技術分野】
【０００１】
本考案は、団扇部分におもり及びつり金具を設け、振り子で機能する団扇に関するものである。
【背景技術】
【０００２】
通常は手で持って扇がなければいけないものであった。
【考案の開示】
【考案が解決しようとする課題】
【０００３】
車両内で両手がふさがっていては団扇で扇ぐこともできず、また、扇いでいては手も疲れるので、天井からつるすことにより動力源を使わずに振り子で半永久的に扇ぐことが可能になり、前述の欠点を解決しようとするものである。
【課題を解決するための手段】
【０００４】
本考案は団扇本体に天井からのつり金具をつけ、振動または揺れで振り子を利用し、問題点を解決している。
【考案の効果】
【０００５】
上記のように本考案の振り子団扇は、団扇本体を持たずに団扇の機能を発揮し、室内空気循環にも効果を持っている。
【考案を実施するための最良の形態】
【０００６】
団扇を車両内部の天井につるし、団扇を振り子で動かし、個々が作業せずに、両手を自由にし、また冷暖房の効いた車内では空気を循環させることを実現した。
【実施例１】
【０００７】
振り子団扇本体を移動車両天井部に４を、ピン・テープ・ビス・くぎ等で固定し、４と１を連結金具３、リング・紐・チェーンで揺れるように接続し、おもり２をつけ車両自体の振動や揺れで振り子が発生し、団扇で扇いでくれる。
【図面の簡単な説明】
【０００８】
【図１】本考案の振り子団扇の一実施例を示す正面図である。
【図２】本振り子団扇一部切欠断面図である。
【符号の説明】
【０００９】
１    団扇本体
２    おもり
３    接続金具
４    固定金具
【図１】
0003122282.tif 000003
【図２】
0003122282.tif 000004
(57)【要約】【課題】  ガラス繊維、不織布等の集塵用フィルターを挟み吸込み口の口縁の溝に固定するために全く別部材の二点の部品を必要とし、また、従来のレンジフード用フィルター装置は吸込み口の口縁下部の溝の内壁とコ字バネの隙間への落下を防ぐ為、四周辺をアングルで形成されており、アングルの片辺が吸込み面積を縮小し、換気能力を低下させ、摘子が一つしか設けられていなかったので、ほこり、油汚れ等の付着したガラス繊維、不織布等の集塵用フィルターに触れずに交換出来ない為、手を汚していた。【解決手段】    本考案は上記課題を解決する為、ガラス繊維、不織布等の集塵用フィルターと、このフィルターを前後面で挟み込むほぼ同形の格子状枠少なくとも一方の格子状枠に複数個設けられると共に、フィルターを貫通して他方格子状枠の格子に結合する爪とで成すことによって、ガラス繊維、不織布等の集塵用フィルターをレンジフードの吸込み口に固定する事が出来る。【選択図】  図２
0003122249.tif 000002
【実用新案登録請求の範囲】
【請求項１】
ガラス繊維、不織布等製の集塵用フィルターと、このフィルターを前後面で挟み込むほぼ同形状の格子状枠と、少なくとも一方の格子状枠に爪が複数個設けられると共に、フィルターを貫通して他方格子状枠の格子に結合する爪とで成したことを特徴としたレンジフード用フィルター装置。
【請求項２】
複数個の爪を他方格子状枠の格子に差し込み、且つ折り曲げると共に、その折曲片を摘子としたことを特徴とした請求項１記載のレンジフード用フィルター装置。
【請求項３】
格子状枠を線材として、四周辺にて四角形に形成し、その四周辺間に格子を橋渡ししたことを特徴とする請求項１記載のレンジフード用フィルター装置。
【考案の詳細な説明】
【技術分野】
【０００１】
本考案は、レンジフードの吸込み口の内側にほこり・油汚れ等が付着するのを防止する為に吸込み口にガラス繊維、不織布等のフィルターを取付ける装置に関するものである。
【背景技術】
【０００２】
一般的にレンジフードの吸込み口には、ほこり、油汚れ等が付着するのを軽減するために、金網製のフィルターを取付けている。この金網の取付けは、レンジフードの吸込み口の口上下に溝を設け、この溝に金網を張ったフィルターの四角枠を嵌め込んでいる。
ところが、この金網のフィルターの金網の目は孔径に限界があり、ほこり、油汚れ等の多くがレンジフード内に浸入することとなる。
そこで金網製のフィルターに代え、ガラス繊維、不織布等のフィルターを挟んだレンジフード用フィルター装置が採用されている。
従来のレンジフード用フィルター装置は、四周辺を金属のアングルにて四角形枠に形成し、この四角形枠に設けられた上下溝に、ガラス繊維、不織布等の集塵用フィルターと、それを押える金属線にて形成された四角形押え枠とを嵌め込んでいる。
【考案の開示】
【考案が解決しようとする課題】
【０００３】
ガラス繊維、不織布等の集塵用フィルターを挟み吸込み口の口縁の溝に固定するために全く別部材の二点の部品を必要としていた。
また、従来のレンジフード用フィルター装置は吸込み口の口縁下部の溝の内壁とコ字バネの隙間への落下を防ぐ為、四周辺をアングルで形成されており、アングルの片辺が吸込み面積を縮小し、換気能力を低下させていた。
さらに、摘子が一つしか設けられていなかったので、ほこり、油汚れ等の付着したガラス繊維、不織布等の集塵用フィルターに触れずに交換出来ない為、手を汚していた。
【課題を解決するための手段】
【０００４】
本考案は上記課題を解決する為、ガラス繊維、不織布等の集塵用フィルターと、このフィルターを前後面で挟み込むほぼ同形の格子状枠少なくとも一方の格子状枠に複数個設けられると共に、フィルターを貫通して他方格子状枠の格子に結合する爪とで成すことによって、ガラス繊維、不織布等の集塵用フィルターをレンジフードの吸込み口に固定することが出来るレンジフード用フィルター装置。
【考案の効果】
【０００５】
請求項１によって、フィルターを金網としていたものと比し、ほこり、油汚れ等のレンジフードへの進入を少なく出来るのは勿論、ガラス繊維、不織布等の集塵用フィルターを挟みずれることを防ぐために、従来のレンジフード用フィルターは全く別部材の二点の部品を必要としていたが、同形状の格子状枠、二点を使用するため、一型の部品で爪が貫通することより固定できる。
請求項２によって、摘子が一つしか設けられていなかったのと比し、ほこり、油汚れ等の付着したガラス繊維、不織布等の集塵用フィルターに触れずに交換出来る。
請求項３によって、請求項４によって、四周辺を金属のアングルにて四角形に形成されているのと比し、格子状枠を橋渡ししたことによって、格子状枠の四周辺の厚みが増し、吸込み口の口縁下部の溝の内壁とコ字バネの隙間への落下防止が出来る。なおかつ、吸込み口の面積の縮小を最大限防ぐため換気能力をほとんど低下させない。
【考案を実施するための最良の形態】
【０００６】
以下本考案の実施の形態を示す図面に基づいて説明する。
【実施例】
【０００７】
図１に示す如くレンジフード本体１を壁面Ｈに取付けた状態を示している。このレンジフード本体１は前面に吸込み口２を有し、且つ内部にファン３を装備している。このファン３に対応して、壁面Ｈには排気口にＨａが位置する。
而して、このレンジフード１の吸込み口２の口縁２ａの上下には溝４、４ａを設けている。この溝４、４ａにはガラス繊維、不織布等製の集塵用フィルター５が前後面で挟み込むほぼ同形の格子状枠６，７が嵌め込まれる。なお、図２のレンジフード用フィルター装置は少なくとも１つ以上で、吸込み口２をほぼ隙間なく覆う大きさとする。
格子状枠６，７はその溝４の底部に備えられた上向きコ字型バネ８にて上方向に押し上げられガタ付きなく堅固に嵌め込まれる。この格子状枠６、７は樹脂、金属線にて四周辺６ａにて四角形に形成されており、その四周辺６ａ間には適宜格子が橋渡しされている。この格子状枠６，７はほぼ同形であるが、製造過程において同一の素体とし、これに２次加工したものを言う。
即ち、少なくとも一方にＬ型爪９を複数個設けている。具体的にはＬ型とし、その一片９ａを縦格子６ｂに溶接している。その他片９ｂがフィルター５に貫通し、他方格子状枠を越えレンジフード用フィルター装置の脱着用摘子とする。
【図面の簡単な説明】
【０００８】
【図１】レンジフードの断面図
【図２】同上の拡大分解斜視図
【図３】同上の部分拡大断面図
【図４】コ字バネの斜視図
【図５】爪部分の拡大斜視図
【図６】爪部分の拡大断面図
【符号の説明】
【０００９】
１    レンジフード本体
２    吸込み口
２ａ  吸込み口口縁
３    ファン
４    吸込み口口縁の下部溝
４ａ  吸込み口口縁の上部溝
５    フィルター
６    格子上枠背面
Ｈ    壁
Ｈａ  排気口
６ａ  格子状枠四周辺
６ｂ  縦格子
７    格子状枠前面
８    コ字バネ
９    Ｌ型爪
９ａ  Ｌ型爪の溶接片辺
９ｂ  Ｌ型爪のフィルター貫通摘子
【図１】
0003122249.tif 000003
【図２】
0003122249.tif 000004
【図３】
0003122249.tif 000005
【図４】
0003122249.tif 000006
【図５】
0003122249.tif 000007
【図６】
0003122249.tif 000008
(57)【要約】      （修正有）【課題】靴べらの上部を靴の上部より高くする事依って靴を痛めないようにする。【解決手段】靴べら１の上部を靴の上部より高くする事に依って靴を痛めない様に出来る。又、靴べらの上部を広げたのは足が挿入し易くする為である。そして靴べらに傾斜（３０度以内）つける事に依って足が滑り靴の中に収まる。【選択図】図４
0003122219.tif 000002
【実用新案登録請求の範囲】
【請求項１】
合成樹脂を使って靴の上部を痛めず簡単に靴を履くことが出来る様にした靴べら。
【考案の詳細な説明】
【技術分野】
【０００１】  本考案は合成樹脂を変形出来るようにした靴べら
【背景技術】
【０００２】  従来の靴べらは靴の上部を痛め簡単に履くことが出来なかった
【考案の開示】
【考案が解決しようとする課題】
【０００３】  靴の上部に足が掛かると、靴が傷んだり、簡単に履く事が出来なかった。
従って痛めず簡単に履く事を解決しようをするものである。
【課題を解決するための手段】
【０００４】  本考案は靴の上部より合成樹脂の靴べらを長くする事で靴を痛めず簡単に履く事を解決している。
【考案の効果】
【０００５】  上述の様に本考案は靴を痛めず簡単に履く事が出来る
【考案の実施するための最良の形態】
【０００６】  予め靴べらを靴の中に傾斜をつけて入れておくそして踵の部分を靴べらに滑らせるようにして履く。
【実施例】
【０００７】  以下添付図面に従って一実施例を説明する。
▲１▼合成樹脂、▲２▼靴べらの上部、▲３▼靴べらの下部、図▲４▼は靴べらに収めた図である。
踵を滑らせて履く事に依って靴べらは靴の踵の部分に移動する。依って靴べらは簡単に抜く事が出来る。
【図面の簡単な説明】
【０００８】
【図１】本考案の変形靴べらの正面図である。
【図２】変形靴べらの側図面である。
【図３】変形靴べらの断面図である。
【図４】変形靴べらを利用して靴を履いている図である。
【符号の説明】
【０００９】１  合成樹脂で出来た変形靴べら
２  靴べらの上部
３  靴べらの下部
【図１】
0003122219.tif 000003
【図２】
0003122219.tif 000004
【図３】
0003122219.tif 000005
【図４】
0003122219.tif 000006
(57)【要約】【課題】  本考案は、室内・室外間の壁を貫通する、通気管を設置することににより、室内外の気圧差を解消し換気効率の向上させる。【解決手段】  本考案は、室内室外間の壁を貫通する通気管を設置し、換気の為排気装置を稼働させた時生じる室内外の気圧の差を、自然の原理を用いて解消し換気効率の向上を実現するものである。【選択図】図１
0003122212.tif 000002
【実用新案登録請求の範囲】
【請求項１】
気密性の高い室内で、換気扇を稼働させる時生ずる気圧低下を防止して換気効率を向上させる、室内側と室外間を貫通する通気装置
【考案の詳細な説明】
【技術分野】
【０００１】管又はダクトの両端を夫々室内と室外に配置し気圧差を利用する通気装置
【背景技術】
【０００２】調理室・トイレ等の気密性が高い場合室内で、換気扇を稼働させても室内室外に気圧差が生じるため、排気効率が極めて低くい。
【考案の開示】
【考案が解決しようとする課題】
【０００３】密閉室内と室外の気圧差を、新たな動力を用いないで解消し、換気効率を向上させるものである。
【課題を解決するための手段】
【０００４】本考案は、室内側と室外間を貫通する、通気装置を設置することにより、室内外の気圧差を解消し換気効率の向上を実現するものである。
【考案の効果】
【０００５】上述のように通気装置を用いることにより、換気時に空気の排出によって生じる気圧の低下は、外気が自然流入することによって回避され、室内外の気圧は均衡を保つため換気効率が向上し、省資源化と費用の低減・環境負荷の低減に寄与する
【考案の実施するための最良の形態】
【０００６】本通気装置の一端を室内側に、他の一端を屋外に露出するよう設置する。又、室内外両端に防麈・防虫のためのネットを装着すると共に、通気装置内部または室内側の露出部に、寒冷期に備えてヒーターを取付けることにより一層快適な換気をすることができる。
【実施例】
【０００７】添付図面に従って一実施例を説明する、Ｃは内部にヒーターが装着され耐候性処理を施した金属製の管。ＡはＢ１を取付けた管の端末で、室内の床面から約１５〜２５ｃｍ上の壁面に露出するよう設置する。ＥはＢ２を取付けた管の端末で、屋外の壁面近くに開口部を下に向けて設置する。
【図面の簡単な説明】
【０００７】
【図１】本考案の通気装置の実施例を示す断面図である。矢印は本通装置を稼働せさた時の空気の流れを示す図である
【図１】
0003122212.tif 000003
(57)【要約】      （修正有）【課題】園芸用肥料の固体全体を囲み保護し植木鉢上に固定し肥料による汚れや根づまりを防ぎ、肥効を落とさず更に肥料の出し入れを容易にする。【解決手段】肥料全体を保護する球形の形状と固定する軸を持ち、球形の下部の網状により肥料が直接土または、苔に接触しないため汚れと根づまりを防ぐ点と上部の１２枚の弁の形状と柔軟性により散水時における吸水性を確保し肥効の低下を防ぎ更に肥料の出し入れが容易という点を特徴とする。【選択図】図２
0003122211.tif 000002
【実用新案登録請求の範囲】
【請求項１】
園芸用の固形・粒状・粉末の肥料を入れ１本の軸を持ち下部が網状、上部が複数の弁による球形の肥料容器。
【請求項２】
１本の軸により肥料を固定し、肥料全体を保護する球形の本体の下部は、網状で肥料の流出と根づまりを防ぎ、上部は、複数の柔軟性のある弁により開閉が自在で肥料の出し入れが容易、更に肥効の低下を防ぐための吸水性に優れた形状が特徴とする請求項１記載の肥料容器。
【考案の詳細な説明】
【技術分野】
【０００１】本考案は、園芸用肥料の固体全体を囲み保護し植木鉢上に固定し更に肥料の出し入れが容易な肥料容器に関するものである。
【背景技術】
【０００２】肥料容器を使用しないと散水による肥料の植木鉢からの落下や動物、昆虫からの被害に遭う。【０００３】従来の肥料の上からかぶせる肥料容器では、直接肥料が植木鉢の土または、苔に接触するため土や苔が汚れ、更に土の中に古い肥料が入り込み根づまりの原因になる。【０００４】従来の上部が開閉できるフタ式の肥料容器では、フタの開閉が煩わしくまた、フタが網状のため散水時の吸水性が悪く肥料の溶け出しに時間がかかり肥効を落としてしまう。
【考案の開示】
【考案が解決しようとする課題】
【０００５】解決しようとする問題点は、肥料の動物、昆虫からの被害と植木鉢からの落下、肥料による汚れや根づまりと肥効の低下、更に肥料の出し入れが容易にできない点である。
【課題を解決するための手段】
【０００６】本考案は、肥料の動物、昆虫からの保護と植木鉢からの落下を防ぐ固定が可能な形状である。【０００７】更に本考案は、肥料による汚れや根づまりを防ぎ更に肥効を落とさない形状と、肥料の出し入れが容易な機能を備えたことが最も主要な特徴とする。
【考案の効果】
【０００８】本考案の肥料容器は、肥料全体を包む図２−３の球形の形状と図２−５の固定する軸があり、図３−７のように球形の下部が網状の空洞になっているので肥料が直接土または、苔に接触しないという利点と図１−１及び図２−２の上部の形状により散水時の吸水性を確保し肥効を落とさず、更に弁の柔軟性により肥料の出し入れが容易という利点がある。
【考案を実施するための最良の形態】
【０００９】図１−１及び図２−２の１２枚の弁は、柔軟性を持たせるために使用する樹脂は、軟らかい素材を使用しなければならないが、全体の強度を落とさないように図２−４及び図３−６で示すとおり下部の網状の柱部分には７本の補強を付け実現した。
【産業上の利用分野】
【００１０】本考案は、園芸特に盆栽、山草関連の生産販売する産業分野で利用できる。
【図面の簡単な説明】
【００１１】
【図１】本考案の肥料容器の平面図である。
【図２】本考案の肥料容器の側面図である。
【図３】本考案の肥料容器の底面図である。
【図１】
0003122211.tif 000003
【図２】
0003122211.tif 000004
【図３】
0003122211.tif 000005
(57)【要約】      （修正有）【課題】活魚輸送にも使用されているコンテナーの外寸を変更することなく、従来の浸漬輸送用水槽で魚体長がより大きな活魚を輸送することで輸送コストを削減する。【解決手段】活魚輸送にも使用されているコンテナーの上面フランジ部分及び横リブ部分のない構造にすることで、従来の活魚輸送方法よりも１０〜１３％魚体長の大きな活魚を輸送することが可能になり、輸送コストを削減することが可能である。【選択図】図１
0003122213.tif 000002
【実用新案登録請求の範囲】
【請求項１】
フランジ及び横リブのない構造の活魚輸送用コンテナー
【考案の詳細な説明】
【技術分野】
【０００１】本考案は活魚輸送に使用する活魚コンテナーである。
【背景技術】
【０００２】現在の活魚輸送に使用されているコンテナーは、上面が開口し、上面に補強用のフランジ及び横リブが設けられている構造で、限られた範囲の輸送用水槽に浸漬して複数個搭載しているが、フランジ及び横リブの外寸より収容部分が狭いため輸送する魚種及び魚体長が制限されている。
【考案の開示】
【考案が解決しようとする課題】
【０００３】従来のコンテナーの外寸を変更することなく収容部分を広くする。
【課題を解決するための手段】
【０００４】コンテナー上面のフランジ及び横リブを設けない構造にする。【０００５】コンテナー上面から内側縦底方向に適当な寸法で適当な厚さの部分を設ける構造にする。
【考案の効果】
【０００６】コンテナー上面のフランジ及び横リブを設けない構造にすることにより１０〜１３％収容部分が広くなる。【０００７】収容部分が広くなり、収容する魚体長も１０〜１３％大きくなり輸送効率が改善される。
【考案を実施するための最良の形態】
【０００８】コンテナー上面から内側縦底方向に適当な寸法で適当な厚さの部分を設ける構造にする。
【実施例】
【０００９】図１は、本考案のコンテナー上面の構造の一例を示した図である。
図２は、従来のコンテナー上面の構造の一例を示した図である。
図２の構造のコンテナーを複数個浸漬搭載する水槽に図１の構造のコンテナーを同数個搭載して１０〜１３％魚体長の大きな魚を輸送することが可能になる。
【産業上の利用可能性】
【００１０】コンテナーのフランジ及び横リブのない構造にすれば、コンテナーの外寸を変更することなく、収容部分が１０〜１３％広くなり、従来の活魚輸送用水槽を使用して１０〜１３％魚体長の大きな活魚の輸送が可能になり、輸送コストの削減が可能となる。
【図面の簡単な説明】
【００１１】
【図１】は、本考案のコンテナーの上面構造の一例を示した断面図である。
【図２】は、従来のコンテナーの上面構造の一例を示した断面図である。
【符合の説明】
【００１２】（１）は、短辺側側壁である。
（２）は、補強部分である。
（３）は、フランジ部分である。
（４）は、横リブ部分である。
【図１】
0003122213.tif 000003
【図２】
0003122213.tif 000004
(57)【要約】      （修正有）【課題】腰掛時に足を乗せる台であり軽量で携帯が便利な構造にしかつ腰掛けて長時間乗り物に乗る時等の足の疲労を防止するために考案されたものであり、使用時に形が安定するようにされたものである。【解決手段】２枚のプラスチック板の間に多数のセクションを持った軽くて断面係数の高い板を使用し、箱型の枠を作り上面に同じくプラスチック板で斜めの板、上板１を被せる。上板１と前面板３の上部裏側に接着されたマジックテープ（登録商標）５と同じく６を付着することにより箱型が維持される。側板２の底面を広くしたことで台が転倒しにくくなった。折りたたみ時はマジックテープ５と同じく７でとめる。これらにより軽量で携帯が楽でかつ長時間腰掛時の足の疲労が予防できる。【選択図】図３
0003122220.tif 000002
【実用新案登録請求の範囲】
【請求項１】
２枚のプラスチックプレートの間に多数のセクションを有した板で構成される四角の箱型の上に、正面より見て手前を低くし傾斜させて同じく上面板を被せ、上面板は前面板よりややつき出し、下部後方を広くした側面板を持つ事を特徴とする足のせ台の構造。
【請求項２】
上面板の手前上面中央にマジックテープ（登録商標）を付帯し、使用時には前面板裏側上部中央に付帯されたマジックテープ（登録商標）と付着し，折りたたみ時には背面板裏側下部中央に付帯したマジックテープ（登録商標）と付着出来る構造を持つことを特徴とする請求項１に記載の足のせ台の構造。
【考案の詳細な説明】
【技術分野】
【０００１】    本考案は人が腰掛けた状態で足を乗せる台に関するものである。
【背景技術】
【０００２】    飛行機，列車，車等の腰掛けに長時間座った状態では足が床につき、足の疲労や足先端の血液の循環が悪くなる。
【考案の開示】
【考案が解決しようとする課題】
【０００３】  足のせ台は飛行機や列車の場合一般に前の席に取り付けられた物か，自席に取り付けられた物があるが前の席に取り付けられたものは料金の高い場合が多く，又自席に足のせが取り付けられた席も同じく料金が高い。又車の場合も足のせが一般的にない。従って台を軽くして持ち運びに便利なようにコンパクトにすればこの欠点は解決する。
この台の形を決めるに当たり立法形では足の力が台後方に働くため倒れやすくまた前面板も人の後方に倒れやすい。
【課題を解決するための手段】
【０００４】本考案は、軽量のプラスチック板を使用して四面を囲み，上面を斜めにした足のせ板を被せ、又折りたたみ時にワンタッチで折りたたみが出来る箱型足のせ台である。
使用する材料は二枚の薄いプラスチック板の間に多くのセクションを持った板にした。形は板の断面係数を高くし、軽くし、全体の構造を最小限の材料を使用するため不必要な材料を省いた箱型にした。箱型の形状は側面板の下部を広くし、手前をひくくした。使用時にはマジックテープ（登録商標）を上面板上部手前中央と前面板上部裏側中央に接着されたマジックテープ（登録商標）を付着させ、折りたたんだ状態では上面マジックテープ（登録商標）と背面下部にマジックテープ（登録商標）を付着しワンタッチでセット出来るようにした。
【考案の効果】
【０００５】  上述のように本考案は、使用する材料が板の断面係数が高く軽量で、使用時には広げて上面板に付帯のマジックテープ（登録商標）と前面板上部裏面に付帯したマジックテープ（登録商標）を付着することで箱型を固定出来、前面板が後方に倒れにくくなり、折りたたみ時には背面板下部に接着されたマジックテープ（登録商標）と上面のマジックテープ（登録商標）を付着することでワンタッチで留められる。断面係数の高い軽量板を使用したため最小限の部材使用で，折りたたみ時の大きさはＡ４の週刊誌の大きさで一般的市販週刊誌の重量より軽量である。これにより長時間座ったままの姿勢を保つ時の脚の疲労をやわらげることができる。又箱型の形状を台形にした事により倒れにくくなった。
【考案を実施するための最良の形態】
【０００６】  四方を前述の軽量板で囲み箱型にし上面が手前が低くなるように傾斜をつけ箱の上に被せる両サイドの板の下部を広げ倒れにくくした。
【実施例】
【０００７】  以下，添付図に従って一実施例を説明する。図１において１はは上板、２は底部が広がった側板、３は前面板、５は使用時及び折りたたみ時に使用するマジックテープ（登録商標）であり使用時の状態を表す。上板はその上に足をのせる。図３は図２の断面図であり４は背面板，６は使用時のマジックテープ（登録商標）、７は折りたたみ時のマジックテープ（登録商標）である。【０００８】  本考案の一実施例は上述の如き構成からなるものであるから、長時間腰掛けて旅行する時に本考案の足のせ台を携帯し座席の下に置いて簡単に広げて足を乗せることができ，底部を広くしたため倒れにくい。またワンタッチで折りたためることができ、極めて軽量なため持ち運びに便利である。
【図面の簡単な説明】
【０００９】
【図１】  本考案の斜視図
【図２】  正面図
【図３】  正面図の断面Ａ−Ａ
【図４】  本考案の折りたたみ途中の斜視図
【図５】  折りたたみ時の側面図
【図６】  折りたたみ時の正面図
【図７】  使用する板の断面詳細図
【符号の説明】
【００１０】１  上板
２  側板
３  前面板
４  背面板
５  マジックテープ（登録商標）
６  マジックテープ（登録商標）
７  マジックテープ（登録商標）
【図１】
0003122220.tif 000003
【図２】
0003122220.tif 000004
【図３】
0003122220.tif 000005
【図４】
0003122220.tif 000006
【図５】
0003122220.tif 000007
【図６】
0003122220.tif 000008
【図７】
0003122220.tif 000009
(57)【要約】      （修正有）【課題】へら鮒釣り用の金属加工釣台のすわり心地を良好にする。【解決手段】本考案は、床板１に額縁状の枠２を設け、エアーマット３を下に、合わせ面をゴムでおおいをしたカーペット４を上に重ね合わせたクッションを設け、前記額縁状の枠の内側の床板面に前記クッションを敷き詰めることにより、すわり心地のいいクッション付き釣台を提供できる。【選択図】図１
0003122216.tif 000002
【実用新案登録請求の範囲】
【請求項１】
床板（１）に額縁状の枠（２）を設け、エアーマット（３）を下に、合わせ面をゴムでおおいをしたカーペット（４）を上に重ね合わせたクッションを設け、前記額縁状の枠の内側の床板面に前記クッションを敷き詰めたクッション付き釣台。
【考案の詳細な説明】
【技術分野】
【０００１】  本考案は、床板に、エアーマットとカーペットを重ね合わせたクッションを敷き詰めたクッション付き釣台に関するものである。
【背景技術】
【０００２】  へら鮒釣り用釣台は、耐久性や持ち運びの点からアルミ材等の金属で加工されている。
【考案の開示】
【考案が解決しようとする課題】
【０００３】  堅い金属床板に、じかに腰をかけたときのすわり心地に問題があり、また、厳寒期における野外の釣りに金属床板の冷たさは体にこたえる。そこで座布団などの敷き物を現場に持ち込むようなことになる問題点があり、その欠点を解決するものである。
【課題を解決するための手段】
【０００４】  本考案は、床板に額縁状の枠を設け、エアーマットを下に、合わせ面をゴムでおおいをしたカーペットを上に重ね合わせたクッションを設け、前記額縁状の枠の内側の床板面に前記クッションを敷き詰めたことにより問題点を解決している。
【考案の効果】
【０００５】  上述の様に、本考案のクッション付き釣台は構成されているので、腰を下ろしたときの堅いあたりもやわらぎ、すわり心地が改善されている。また、厳寒期における野外の釣りに床板の冷たさを気にすることのない効果もある。
【考案を実施するための最良の形態】
【０００６】  釣台に、エアーマットを下に、合わせ面をゴムでおおいをしたカーペットを上に重ね合わせたクッションを、額縁状の枠の内側の床板面に敷き詰めくずれないように固定する。
【実施例】
【０００７】  以下、添付図面に従って一実施例を説明する。１は床板に、釣人が腰をかけても安全を保つ厚みの金属板や木材板を用いる、２は額縁状に形成した枠に、木材やプラスチックを用いる、３は空気を入れて厚さ４ｍｍ程度に膨らむエアーマットを下にして、４は合わせ面に厚さ２ｍｍのゴムでおおいをした化学繊維等で織る撥水性のカーペットを上に重ね合わせたクッションを、額縁状に形成した枠２の内側の床板面に敷き詰める。【０００８】  本考案のクッション付き釣台は、台足５で高さを保持し、万力受け６を前方に向けまたいで腰を下ろしすわるのである。
【図面の簡単な説明】
【０００９】
【図１】本考案の実施形態を示すクッション付き釣台の部分断面図である。
【符号の説明】
【００１０】  １、床板
２、枠
３、エアーマット
４、カーペット
５、台足
６、万力受け
【図１】
0003122216.tif 000003
(57)【要約】      （修正有）【課題】熱に耐え石プレートの破損を防ぎ、石器によって調理できる。【解決手段】石を直接火に掛けると、急激な加熱により石が破損するため、石を粉砕して練り合わせ焼き、陶器（セラミック）にして使用する。【選択図】なし【実用新案登録請求の範囲】
【請求項１】
石を粉砕して練り合わせ釜で焼き、陶器（セラミック）にして加熱調理する石器調理プレート。
【考案の詳細な説明】
【技術分野】
【０００１】  この発明は、石を粉砕して練り合わせ焼き、陶器（セラミック）にする事により、石プレートの熱による破損を防ぎ、石器によって調理できる器具に関する。
【背景技術】
【０００２】  従来は、直接火にかけて使用していた。
【考案の開示】
【考案が解決しようとする課題】
【０００３】  しかしながら、以上の技術によれば、石プレートが加熱により破損する。
そこで、この発明は、石を粉砕して練り合わせ焼き、陶器（セラミック）にする事により、熱に耐え石プレートの破損を防ぎ、石器によって調理できる器具を提供することを課題とする。
【課題を解決するための手段】
【０００４】  以上の課題を解決するために、第一発明は、石を粉砕して練り合わせ焼き、陶器（セラミック）にする事を特徴とする石器調理プレートである。
【考案の効果】
【０００５】  石を練りあわせ陶器（セラミック）にすることにより、直火にかけても破損することが無くなった。
【考案を実施するための最良の形態】
【０００６】    この発明の一実施形態を、図１に示す。
石を粉砕して練り合わせ焼き、陶器（セラミック）にし、石プレートの上で、焼肉・焼魚などの調理をする。【０００７】「実施形態の効果」
この実施形態によれば、石プレートを直火にかけることによって起こる破損を防ぎ、また、従来の焼肉・焼魚（鉄板・焼網）と比べて、煙が出にくく、味が良い。【０００８】「他の実施形態」
【図面の簡単な説明】
【０００９】
【図１】  石器調理プレート▲１▼を示した断面図である
【符号の説明】
【００１０】  １石を粉砕して練り合わせ焼き、陶器（セラミック）にした石器調理プレート
２熱源
【図１】
0003122223.tif 000002
(57)【要約】      （修正有）【課題】風による洗濯物の吹き寄せを防止し、かつ左右の伸縮を可能にする。【解決手段】物干し竿１にらせん状の溝Ａを入れ、その部分にハンガー２を吊すことで、風による吹き寄せを防止する物干し竿。【選択図】図１
0003122222.tif 000002
【実用新案登録請求の範囲】
【請求項１】
物干し竿１にらせん状の溝Ａを入れ、その部分にハンガー２を吊るすことで、風による吹き寄せを防止する物干し竿。
【考案の詳細な説明】
【考案の詳細な説明】
【考案が解決しようとする課題】
【０００１】  一般的な金属製の物干し竿に洗濯物を干した場合、ハンガーが風により吹き寄せられる。そのため洗濯物が乾きにくくなるという問題が生じている。また物干し竿を輪切りするように溝を入れると、左右の伸縮ができないという問題が生じる。
【課題を解決するための手段】
【０００２】  上記課題を解決するために、物干し竿にらせん状の溝を入れる。
【考案の効果】
【０００３】  物干し竿にらせん状の溝を入れ、その部分にハンガーを吊るすことで風が吹いた場合でも溝の左右が壁となり、吹き寄せを防止できる。またらせん状にすることで左右の伸縮も可能となる。
【図面の簡単な説明】
【図１】物干し竿とハンガーの斜視図である。
【図２】物干し竿の側面図である。
【図３】［図２］とは別の角度から見た物干し竿の側面図である。
【符号の説明】
１  物干し竿
２  ハンガー
Ａ  らせん状の溝
Ｂ  物干し竿の左伸縮部
Ｃ  物干し竿の右伸縮部
【図１】
0003122222.tif 000003
【図２】
0003122222.tif 000004
【図３】
0003122222.tif 000005
(57)【要約】【課題】  商品の分別収納を可能とし、且つ、使用後は分別ゴミとしての廃棄が容易であり、収納した商品相互間の熱伝導を極力抑え、更に商品の出し入れが容易で、持ち易くすることができるようにすることにある。【解決手段】  上端が開放されたシート状の袋本体１の底面シート２を内側に折り込んで襠を形成し、前記した袋本体１の一部を下端から中央部まで上下に溶着することにより直線状のシール部３を成形して、袋本体１内に複数の収納室４を形成し、更に前記したシール部３上の袋本体１の下端から上端にかけて破断用のミシン目５を設け、前記した各収納室４の上方である袋本体１部分に、夫々把手孔６を開設した構成である。【選択図】        図１
0003122275.tif 000002
【実用新案登録請求の範囲】
【請求項１】
上端が開放されたシート状の袋本体（１）の底面シート（２）を内側に折り込んで襠を形成し、前記袋本体（１）の一部を下端から中央部まで上下に溶着することにより直線状のシール部（３）を成形して、袋本体（１）内に複数の収納室（４）を形成し、更に前記シール部（３）上の袋本体（１）の下端から上端にかけて破断用のミシン目（５）を設け、前記各収納室（４）の上方である袋本体（１）部分に、夫々把手孔（６）を開設したことを特徴とする袋体。
【考案の詳細な説明】
【技術分野】
【０００１】
本考案は、スーパーマーケット、コンビニエンスストア、各種のデリバリーショップで使用される商品受渡し袋（一般にレジ袋、コンビニ袋と称されるもの）としての袋体に関する。
【背景技術】
【０００２】
従来の上記した商品受渡し袋は、少数の商品から多数の商品まで収納することができる各種の容量のものがあるが、各商品が詰め込まれることになるため、例えば冷えた状態を維持したい商品と暖かい状態を維持したい商品とが隣り合わせになってしまうといった不都合があった。この不都合を解消するため夫々の商品を個別に袋に収納するとなると、それだけ不経済で余計な廃棄物が出ることになる。
【０００３】
また、缶に密封収納されたジュース等の飲料であればこのように袋に無秩序に詰め込んでも支障ないが、或る種の店で販売されるような飲料は紙容器に単に蓋を被せているだけであるので、袋への収納時にも常に垂直姿勢を維持しておく必要があり、或いはパンやケーキのように他の商品によって押し潰されてしまう虞れのある商品もあり、従来の袋では極めて不都合であった。
【０００４】
一つの袋体で物品を分納できる構成の製品は、従来技術として例えば下記文献如きが提案されている。
【特許文献１】特開平９−１４２６０２号公報
【考案の開示】
【考案が解決しようとする課題】
【０００５】
しかしながら上記文献は、ゴミの分別を目的としたものであり、下端から上端にかけてヒートシール部が形成されているので収納スペースの開口面積が小さく、商品の収納時に於ける簡便さに欠けるものである。よって本考案は、上記従来の欠点不都合を解消するべく開発されたものであって、商品の分別収納を可能とし、且つ、使用後は分別ゴミとしての廃棄が容易であり、収納した商品相互間の熱伝導を極力抑え、更に商品の出し入れが容易で、持ち易くすることを目的とする
【課題を解決するための手段】
【０００６】
上記課題を解決するため、本考案の袋体は、上端が開放されたシート状の袋本体の底面シートを内側に折り込んで襠を形成し、前記した袋本体の一部を下端から中央部まで上下に溶着することにより直線状のシール部を成形して、袋本体内に複数の収納室を形成し、更に前記したシール部上の袋本体の下端から上端にかけて破断用のミシン目を設け、前記した各収納室の上方である袋本体部分に、夫々把手孔を開設したことを特徴とする構成である。
【考案の効果】
【０００７】
本考案の袋体は上述した構成であるので、シート状の袋本体を広げると下端から中央部まで溶着することにより成形された直線状のシール部によって袋本体が左右に分割されて複数の収納室が形成されることになり、夫々の収納室に冷えた状態を維持したい商品と暖かい状態を維持したい商品とを収納することができるため、これらの商品相互間の熱伝導を極力抑えることができる。
【０００８】
また、シート状の袋本体は上端が開放され、且つ内部を分割する直線状のシール部は袋本体の下端から中央部まで溶着されているだけであるので上部は開放されており、収納室上端の開口面積が小さくても夫々の収納室への商品の出し入れが円滑に達成され、店頭での収納作業の負担が軽減される。
【０００９】
底面シートはシート状の袋本体の下部を内側に折り込んで襠を形成した構成で、襠が側面に形成されるものではないので、商品を収納して膨らんだ状態になっても安定した姿勢で保持することができ、同時に機能美を得ることができる。
【００１０】
次に、複数の収納室が形成されているため、廃棄物を燃えないゴミと燃えるゴミとに分別して夫々に収納することができ、しかもシール部上の袋本体の下端から上端にかけて破断用のミシン目が設けられているので、ハサミ等の道具を使用することなく手でミシン目を破断して収納室を個別の小さな袋に分離することができ、分別してのゴミの廃棄を効率よく達成できる。
【００１１】
そして、各収納室の上方である袋本体部分に夫々把手孔を開設しているので、夫々に指を引っ掛けて把持すれば、収納物の重量が嵩んでもミシン目が破断してしまうことはなく、仮に何らかの事故で破断してしまっても分断した収納室の小さな袋をそのまま保持することができる等、本考案の袋体は多くの優れた作用効果を奏する。
【考案を実施するための最良の形態】
【００１２】
袋本体１は上端が開放された有底袋形状で、二枚のシートを重ね、底面シート２を内側に折り込んで襠を形成した構成で、下端から中央部まで熱溶着をすることにより直線状のシール部３を成形し、シール部３により袋本体１は左右に分割されて複数の収納室４が形成される。
【００１３】
シール部３上の袋本体１の下端から上端にかけては破断用のミシン目５が設けられており、ミシン目５で区画された各収納室４の上方である袋本体１部分には、夫々把手孔６が開設されている。
【実施例１】
【００１４】
袋本体１は、焼却処理を施しても有毒ガスが発生しないようにポリエチレン樹脂が使用され、収納した商品が透視できて広告機能が果たせるように透明、半透明のものが使用される。
【００１５】
袋本体１の上端部は二つ折りできるように横に折曲げ線７が形成されており、この折曲げ線７を挟んで対称に把手孔６を開設する。この二つ折りにより袋本体１の上端部は四枚のシートで構成されることになるので充分な強度が発揮され、ミシン目５が不用意に破断してしまったり、収納物の重量によって把手孔６が破けてしまったりすることはない。
【００１６】
図示実施例では、シール部３で袋本体１を左右に二分割しているが、例えば三分割等にして多数の収納室４を形成することもできる。
【図面の簡単な説明】
【００１７】
【図１】本考案にかかる袋体の、（ａ）は平面図、（ｂ）は商品を収納した状態での正面図である。
【図２】（ａ）は図１にあってのＡ−Ａ線断面略図、（ｂ）は図１にあってのＢ−Ｂ線断面略図である。
【符号の説明】
【００１８】
１  袋本体
２  底面シート
３  シール部
４  収納室
５  ミシン目
６  把手孔
７  折曲げ線
【図１】
0003122275.tif 000003
【図２】
0003122275.tif 000004
(57)【要約】      （修正有）【課題】一輪車を使用する際に、人力で荷物を運ばなければならない不都合を解消する。【解決手段】一輪車自体２０が、原動機を取り付けできる構造を設けて、原動機の力で運搬する、原動機付き一輪車１０によりこの課題を解決する。【選択図】図１
0003122827.tif 000002
【実用新案登録請求の範囲】
【請求項１】
一輪車に、原動機を取り付けられる構造を備えた、原動機付き一輪車。
【請求項２】
原動機付き一輪車に、水流ポンプを取り付けられる構造を備えた、原動機付き一輪車。
【請求項３】
原動機付き一輪車に、水を循環できる湯沸かし器を取り付けられる構造を備えた、原動機付き一輪車。
【請求項４】
原動機付き一輪車に、発電機を取り付けられる構造を備えた、原動機付き一輪車。
【請求項５】
原動機付き一輪車に、２輪式バルーンタイヤを取り付けられる構造を備えた、原動機付き一輪車。
【請求項６】
原動機付き一輪車に、ソリを取り付けられる構造を備えた、原動機付付き一輪車。
【請求項７】
原動機付き一輪車に、熱源送風ダクト、を取り付けられる構造を備えた、原動機付き一輪車。
【考案の詳細な説明】
【技術分野】
【０００１】本考案は、荷物などを運搬する際に使用する、原動機付き一輪車に関する。
【背景技術】
【０００２】従来の一輪車では、荷物などを運搬する際、人力により運搬していた。
【考案の開示】
【考案が解決しようとする課題】
【０００３】しかし、これでは運搬する能力に限界があり不安定である。特に急な勾配がある場所においては人力では極めて不安定であり、危険である。
【課題を解決するための手段】
【０００４】そこで、一輪車自体に原動機を取り付け、原動機の動力で運搬できる構造を設けて、急な勾配がある場所や、重量がある荷物などを簡易に運搬することができる、原動機付き一輪車を考案した。この原動機付き一輪車により、急な勾配がある場所や、重量がある荷物等を簡易に運搬することができるので、安定且つ、安全に荷物等を運搬することができるのである。
【考案の効果】
【０００５】よって、本考案の原動機付き一輪車により、荷物等を運搬する際に、不安定で危険な運搬の仕方はなくなる。また、原動機部分に水流ポンプを取り付けできる構造を設けることにより、高い水圧の水流を得ることできる。また、原動機の発熱部分に、水を循環できる湯沸かし器を取り付けできる構造を設けることにより、簡易に温水を得ることができる。また、原動機部分に発電できる構造を設けることにより、簡易に安定した電気を得ることができる。また、原動機付き一輪車に二輪式バルーンタイヤを取り付けできる構造を設けることにより、砂上や雪上などでも使用することができる。  また、原動機付き一輪車にソリを取り付けできる構造を設けることにより、一輪車を使用する際、一輪車を操作する者が歩くことなく運搬することができる。また、原動機の発する熱源をダクトホースなどで手元に誘導することで、寒波のなかでも安全な操作ができる。
【考案を実施するための最良の形態】
【０００６】本考案に係わる、原動機付き一輪車１０は、図１の示すように、荷物Ａを運搬する際に原動力となる、原動機１を備えている。そして、この原動機１は、スムーズに荷物Ａを運搬できるように、オートマチックを採用している。原動機１は、２サイクルエンジンでも、４サイクルエンジンでも良いが、重量や、原動機１を取り付けるスペースを考慮すれば、比較的コンパクトに収まる２サイクル原動機が望ましい。また、原動機１に水流ポンプ２を取り付ける位置は、各原動機の都合に合わせて決めれば良い。また、原動機１に湯沸かし器３を取り付ける位置は、原動機の発熱が激しいシリンダーＢあたりがよく、原動機１を冷却する方法は、水冷式と空冷式とを併用する。  また、原動機１に発電機４を取り付ける位置は、各原動機に合わせて一番効率の良い場所に取り付ける。また、原動機付き一輪車１０に取り付けられる、二輪式バルーンタイヤ５は、砂上や雪上でも使用できるように低圧でスパイク状のものが良く、太いものが望ましい。また、原動機付き一輪車１０に取り付けるソリ６は、運搬者Ｃが十分に乗れるくらいの大きさが良く、雪上に対して抵抗のかかりにくい形が望ましい。また、原動機１の熱源をダクトなどで手元に誘導でき構造を設ける。
【図面の簡単な説明】
【０００７】
【図１】本考案に係わる原動機付き一輪車の側面図である。
【図２】従来の一輪車の側面図である。
【符号の説明】
【０００８】  １    原動機
２    水流ポンプ
３    湯沸かし器
４    発電機
５    バルーンタイヤ
６    ソリ
７    温風ダクト
Ａ    荷物
Ｂ    シリンダー
１０    原動機付き一輪車
２０    一輪車
３０    地面
【図１】
0003122827.tif 000003
【図２】
0003122827.tif 000004
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
一輪車本体に、原動機装置を備えた、原動機付き一輪車。
(57)【要約】【課題】サッシ室内側の障子本体に格子調金属板を取付ける事によりガラス破壊による外部からの侵入を防止する。【解決手順】サッシ室内側の障子のタテ枠（６）ヨコ枠（７）に格子調金属板（１）を取り付ける事によりガラス破壊による外部侵入を防止する。又格子調金属板（１）はクレセント（５）近くは格子穴を取らない部分（２）があり、クレセント解除を目的とした侵入には効果が大である。【選択図】図２
0003122824.tif 000002
【実用新案登録請求の範囲】
【請求項１】
室内側のサッシの障子に格子調の金属板を取付る事により、室外側ガラス破壊による外部からの侵入を防止するものである。
【請求項２】
格子のデザインにより建物の外観的アクセントとして利用できる。
【考案の詳細な説明】
【技術分野】
【０００１】本考案はサッシのガラス破壊による、外部からの侵入者を防止するものである。
【背景技術】
【０００２】サッシのガラスは簡単に破壊され、外部からの侵入が容易である。
【考案の開示】
【考案が解決しようとする課題】
【０００３】サッシのガラス破壊による侵入を防止する為に現在は外部に面格子取付や強化ガラス、防犯フィルムをサンドした合わせガラス等を利用する方法があるが、この効果をより高めるものである。又特にクレセント解除目的によるガラス破壊の侵入防止には効果がある。
【課題を解決するための手段】
【０００４】サッシの障子の室内側に格子調の金属板を取り付ける事により、ガラスが破壊されても内側の格子調の金属板の取り外しに手間がかかり侵入するのに時間を用し、防犯効果を高める事ができる。
【考案の効果】
【０００５】現在のガラス破壊による侵入者防止方法には外部面格子取付や強化ガラス、防犯フィルムをサンドした合せガラス等による方法があるが、本考案はこれと併用すれば、よりガラス破壊による侵入者防止の効果を高める事ができる。又ガラス全体の破壊による侵入防止はもとより、サッシの障子のクレセント近くを格子調金属板の穴をもうけるのをやめ、室外から見えなくする事により、クレセント解除目的によるガラス破壊侵入防止の効果を高める事ができる。
【考案を実施するための最良の形態】
【０００６】本考案は、サッシの障子図２の室内側サッシのタテ枠６、ヨコ枠７に格子調金属板１を取り付ける事により、ガラス破壊による外部からの侵入を侵入しにくくしたものである。又、透明ガラスの場合は、格子調の金属板なので建物の外観的アクセントとなる。
【図面の簡単な説明】
【０００７】
【図１】  本考案のサッシの障子に取付ける格子調金属板。
【図２】  本考案の格子調金属板をサッシの障子屋内側に取付けた左右障子の図面である。
【図３】  従来のサッシの障子（左・右）の図面である。（実施例）
【符号の説明】
【０００８】１．本考案の格子調金属板
２．クレセント目隠し
３．本体取付ネジ穴
４．本体取付時のサシ込み部
５．クレセント
６．サッシタテ枠
７．サッシヨコ枠
８．ガラス
【図１】
0003122824.tif 000003
【図２】
0003122824.tif 000004
【図３】
0003122824.tif 000005
【手続補正書】
【提出日】平成18年3月18日(2006.3.18)
【手続補正１】
【補正対象書類名】実用新案登録請求の範囲
【補正対象項目名】全文
【補正方法】変更
【補正の内容】
【実用新案登録請求の範囲】
【請求項１】
室内側のサッシの障子の枠に格子調の金属板を取付ける事により、室外側のガラス破壊による外部からの侵入者を防止する事を特徴とする侵入者防止用格子調金属板。
【請求項２】
格子のデザインにより建物の外観的アクセントにもなる事を特徴とする請求項１記載の侵入者防止用格子調金属板。
(57)【要約】【課題】  圧倒的に画一化されている小物入れの抽出し方式を変えることにより使用する人に利便性と斬新感のある小物入れを提供する。【解釈手段】  最上部の蓋を含めて七段の小物整理箱を底部に台座を設けた支柱に順次嵌め込むことにより１８０度回転可能な小物入れとなる。各段の整理箱は各々異なった色を配し虹の七色とすることにより、整理収納される時は一体化されるので、省スペースで綺麗な虹の小箱となる。【選択図】図１
0003122821.tif 000002
【実用新案登録請求の範囲】
【請求項１】
台座に支えられた支柱に対して、回転可能に一端が支持された複数の整理箱を有することを特徴とする小物入れ。
【請求項２】
請求項１記載の小物入れにおいて、前記整理箱は四角形状又は円形状であることを特徴とする小物入れ。
【請求項３】
請求項１記載の小物入れにおいて、前記整理箱の各々は異なった色に着色され、虹を表す七色としていることを特徴とする小物入れ。
【請求項４】
前記支柱の最下部にネジ溝を設け、台座の最上部に施されたネジ部を支柱に嵌めこむことにより、台座が全体のバランスを保つ役割を有することを特徴とする小物入れ。
【考案の詳細な説明】
【技術分野】
【０００１】    本考案はプラスチックを一定形に加工してなる小物入れに関するものである。
【背景技術】
【０００２】    小物入れは卓上に限らず多種多様に開発がなされ、会社、事務所、および各家庭に幅広く行き渡っており、様々なデザインが施されているが、大多数が機能面においては画一化されており、圧倒的に抽出し仕様が多く見受けられる。
【考案の開示】
【考案が解釈しようとする課題】
【０００３】    画一化されている機能性を高めると同時に、使用する人には利便性と斬新性のある小物入れを提供する。
【課題を解決するための手段】
【０００４】    プラスチックを一定形に形成して、デザインとしては特に策は施さず、四角形（又は長方形）と円型（又は楕円形）とするが、開閉方式を手前に引く抽出し式とはせずに、支柱を中心とした１８０度のスライド方式として、どの方向からでも収納されている小物を取り出せることを可能とした。収納整理するときも同様である。
【考案の効果】
【０００５】    収納箱は最上段の蓋を除いて七段重ねとすることにより多種類の小物の収納が可能であり、どの方向にでも、スライドできるので、出し入れ機能が容易となる。その上整理収納後は七段が四角又は円形に一体化されるので省スペースとなる。
【考案を実施するための最良の形態】
【０００６】    四角形、円形のいずれも支柱を施し、支柱を支えにして、順次整理箱を嵌め込み最上段には蓋を配すること。【０００７】    整理箱及び蓋には、各々支柱に通すための円筒状の通し孔を施してあること。【０００８】    整理箱は支柱とともに同一色でもよいが、インテリアとしての趣を高めるために、各段毎に別々の色を配し、虹の七色を基本とすること。（赤、橙、黄、緑、青、藍、紫）【０００９】    上記着色の変化は見た目ばかりではなく、使用する人にとっては収納個所の備忘の効果もあり、分別収納にも役立つ。【００１０】    整理箱の最上部には、防埃とあわせて、上から見て中が判らないよう、目隠しのための蓋をのせて着色は一番上部の整理箱と同一の赤色とする。【００１１】    収納時あるいは取り出し作業時において、バランスの崩れによって倒れることを極力防止するための一助として、支柱の底にネジ溝を設け、ネジ式による嵌め込み台座を補助具として、取付けが可能であること。【００１２】    補助の台座はプラスチックでもよいが、多少重みのあるものとし、着色は最下部と同一色の紫とするか、無色又はシルバーなどがよい。【００１３】    レインボー小物入れは大人から子供まで幅広く活用できるうえ小酒落れたインテリアとしての効果も期待できる。
【図面の簡単な説明】
【００１４】
【図１】  本考案の実施時に於ける正面図。
【図２】  本考案の収納整理時における正面図。
【図３】  本考案の実施時に於ける真上から見た全方位展開図。
【符号の説明】
【００１５】１．  １段目整理箱
２．  ２段目整理箱
３．  ３段目整理箱
４．  ４段目整理箱
５．  ５段目整理箱
６．  ６段目整理箱
７．  ７段目整理箱
８．  蓋
９．  支柱
１０．  台座
【図１】
0003122821.tif 000003
【図２】
0003122821.tif 000004
【図３】
0003122821.tif 000005
【手続補正書】
【提出日】平成18年3月24日(2006.3.24)
【手続補正１】
【補正対象書類名】実用新案登録請求の範囲
【補正対象項目名】請求項４
【補正方法】変更
【補正の内容】
【請求項４】
請求項１に記載された小物入れにおいて，前記支柱の最下部にネジ溝を設け，台座の最上部に施されたネジ部を支柱を嵌めこむことにより，台座が全体のバランスを保つ役割を有することを特徴とする小物入れ。